(57)【要約】      （修正有）【課題】シングルレバー式湯水混合栓には、吐出量を調節するシングルレバーの上下回動の調節角度範囲が小さいため、吐出量が調節し難い。このため、必要以上に湯水を浪費し易い欠点がある。【解決手段】シングルレバー１０の上下回動によって上下回動される第二作動体８と、第二作動体８の上下回動によって上下回動される第一作動体６と、第一作動体６が上下回動された時に摺動・前後進して吐出量を調節する可動弁体１１とを設け、第一作動体６と第二作動体８とを連結ピン９で連結し、第一作動体６の回動軸５と連結ピン９との軸芯間距離が第二作動体８の回動軸７と連結ピン９との軸芯間距離より大とすることによって、シングルレバー１０の上下回動の調節角度範囲を第一作動体６の上下回動の調節角度範囲より拡大する。【選択図】図１−１
2015155747.tif 000002
【特許請求の範囲】
【請求項１】
湯水混合栓本体に設けられた固定弁体の上面に重合配置され摺動可能な可動弁体を、シングルレバーの水平・上下回動によって水平回動・前後進させて、湯水混合比と吐出量とを調節する湯水混合栓であって；
水流入部、湯流入部、及び、吐出部が備えられた湯水混合栓本体と、
前記湯水混合栓本体の内部に設けられ、該湯水混合栓本体の水流入部に連通する水流入弁口と湯流入部に連通する湯流入弁口とが備えられた固定弁体と、
前記固定弁体の上面に摺動可能に重合配置され、水平回動されたときに前記水流入弁口と前記湯流入弁口の開口面積比を変化させて湯水混合比を調節し、前後進されたときに該水流入弁口と該湯流入弁口の開口面積を変化させて吐出量の調節をする可動弁体と、
前記湯水混合栓本体の内部に水平回動可能に設けられ、前記固定弁体とで前記可動弁体を挟持する水平回動ホルダーと、
前記水平回動ホルダーの内部に水平に設けられた第一回動軸と、
前記第一回動軸に設けられ、上下回動されたときに前記可動弁体を前後進させるとともに水平回動されたときに該可動弁体を水平回動させる突起部が下部に備えられた第一作動体と、
前記水平回動ホルダーの内部に前記第一回動軸の上側に平行に設けられた第二回動軸と、
前記第二回動軸に設けられ、上下回動可能な第二作動体と、
前記第一作動体又は前記第二作動体の何れか一方に設けられ、他方に備えられたピン連結部を滑動する連結ピンと、
前記第二作動体の上部に設けられ、該第二作動体と前記連結ピンと前記第一作動体とを介して前記可動弁体を摺動させ、水平回動によって湯水混合比を調節し、上下回動によって吐出量を調節するシングルレバーとが設けられており；
前記第一回動軸と前記連結ピンとの軸心間距離を、前記第二回動軸と該連結ピンとの軸心間距離より大とすることによって、前記シングルレバーの上下回動角度を、前記第一作動体の上下回動角度より大ならしめたことを特徴とする湯水混合栓。
【請求項２】
前記連結ピンによる第一作動体と第二作動体との連結に替えて、
前記第一回動軸を回転中心とする前記第一作動体に設けられた円弧歯車と、ピッチ円半径が該円弧歯車より小さく前記第二回動軸を回転中心とする前記第二作動体に設けられた円弧歯車とで、該第一作動体と該第二作動体とを歯車連結することを特徴とする請求項１記載の湯水混合栓。
【発明の詳細な説明】
【技術分野】
【０００１】
本発明は、シングルレバーの水平・上下回動によって湯水混合比と吐出量とを調節するシングルレバー式湯水混合栓に関する。
【背景技術】
【０００２】
シングルレバー式湯水混合栓は、湯水混合栓本体に設けられた固定弁体に重合配置され摺動可能な可動弁体を、シングルレバーの水平・上下回動によって水平回動・前後進させて湯水混合比と吐出量とを調節する湯水混合栓であり、操作が容易であるため各種のシングルレバー式湯水混合栓が多用されている。
しかし、従来のシングルレバー式湯水混合栓には、吐出量を調節する上下回動の調節角度範囲が小さく、僅かな上下回動で吐出量が大きく変化し吐出量を調節し難いため、必要以上に湯水を消費し易い欠点がある。
この欠点に対しては、特許文献１に記載される様なシングルレバーの回動に対して複数の位置でクリック感を発生させたり、特許文献２〜３に記載される様なシングルレバーの開方向の調節回動角度を制限することによって吐出量を少量範囲に抑える節水モード機能を付加したりする各種の構造が提案されているが、根本的な解決ではない。
【先行技術文献】
【特許文献】
【０００３】
【特許文献１】特開平6-81383号公報      湯水混合栓
【特許文献２】特開平11-124888号公報    シングルレバー混合栓
【特許文献３】特開平11-152772号公報    シングルレバー混合栓
【発明の概要】
【発明が解決しようとする課題】
【０００４】
本発明は、吐出量の調節がし易いシングルレバー式湯水混合栓を実現することによって、無駄な湯水を浪費しない省エネ型のシングルレバー式湯水混合栓を提供することを目的とする。
【課題を解決するための手段】
【０００５】
これらの課題を解決するために成した第一の発明は、
湯水混合栓本体に設けられた固定弁体の上面に重合配置され摺動可能な可動弁体を、シングルレバーの水平・上下回動によって水平回動・前後進させて、湯水混合比と吐出量とを調節する湯水混合栓であって；
水流入部、湯流入部、及び、吐出部が備えられた湯水混合栓本体と、
前記湯水混合栓本体の内部に設けられ、該湯水混合栓本体の水流入部に連通する水流入弁口と湯流入部に連通する湯流入弁口とが備えられた固定弁体と、
前記固定弁体の上面に摺動可能に重合配置され、水平回動されたときに前記水流入弁口と前記湯流入弁口の開口面積比を変化させて湯水混合比を調節し、前後進されたときに該水流入弁口と該湯流入弁口の開口面積を変化させて吐出量の調節をする可動弁体と、
前記湯水混合栓本体の内部に水平回動可能に設けられ、前記固定弁体とで前記可動弁体を挟持する水平回動ホルダーと、
前記水平回動ホルダーの内部に水平に設けられた第一回動軸と、
前記第一回動軸に設けられ、上下回動されたときに前記可動弁体を前後進させるとともに水平回動されたときに該可動弁体を水平回動させる突起部が下部に備えられた第一作動体と、
前記水平回動ホルダーの内部に前記第一回動軸の上側に平行に設けられた第二回動軸と、
前記第二回動軸に設けられ、上下回動可能な第二作動体と、
前記第一作動体又は前記第二作動体の何れか一方に設けられ、他方に備えられたピン連結部を滑動する連結ピンと、
前記第二作動体の上部に設けられ、該第二作動体と前記連結ピンと前記第一作動体とを介して前記可動弁体を摺動させ、水平回動によって湯水混合比を調節し、上下回動によって吐出量を調節するシングルレバーとが設けられており；
前記第一回動軸と前記連結ピンとの軸心間距離を、前記第二回動軸と該連結ピンとの軸心間距離より大とすることによって、前記シングルレバーの上下回動角度を、前記第一作動体の上下回動角度より大ならしめたことを特徴とする湯水混合栓である。
【０００６】
第二の発明は、
第一の発明の連結ピンによる第一作動体と第二作動体との連結に替えて、
前記第一回動軸を回転中心とする前記第一作動体に設けられた円弧歯車と、ピッチ円半径が該円弧歯車より小さく前記第二回動軸を回転中心とする前記第二作動体に設けられた円弧歯車とで、該第一作動体と該第二作動体とを歯車連結することを特徴とする。
【発明の効果】
【０００７】
第一〜第二の発明によれば、 シングルレバーの上下回動の調節角度範囲が、可動弁体を前後進させる第一作動体の上下回動の調節角度範囲よりも拡大される。
従来の湯水混合栓のシングルレバーの上下回動の調節角度範囲は通常３０度以内であり、閉止状態と吐出開始状態との余裕角度を除くと実質的な調節角度範囲は２０度程度となり、調節し難いため湯水を浪費し易い。
本発明によれば、実質的な調節角度範囲を４０度以上に拡大出来、吐出量を調節し易くなるので、湯水の浪費の無い省エネ型シングルレバー式湯水混合栓が得られる。
また、調節角度の拡大により、シングルレバーの上下方向の操作力を２分の一以下に軽減することが出来る。操作力が軽減されれば、可動弁体と固定弁体との間の摺動面の圧力を現状より増加させることが出来るので、全閉状態における摺動面からの漏水を抑える効果がある。
さらに、シングルレバーの全閉状態と吐出状態との上下回動の角度差が大きくなり全閉操作がより意識的となるので、無意識のレバー操作不十分による全閉後の漏水放置の恐れが無く、無駄な湯水を浪費しない。これによって、夜間電力使用の温水タンク等の温水を浪費する恐れも無くなる。
【図面の簡単な説明】
【０００８】
【図１−１】実施例１の説明図              吐水用水平回動位置H１ (図２−１参照)での全閉状態の垂直断面図              ( 二点鎖線は、シングルレバー８と第一作動体６と第二作動体８と連結ピン              ９との全開状態を示す)
【図１−２】実施例１の説明図              図１−１のA−A’ 断面図
【図２−１】実施例１の説明図              図１−１のB−B’ 断面図( 固定弁体と可動弁体の位置関係図 )
【図２−２】実施例１の説明図              吐水用水平回動位置H1 での全開状態の固定弁体と可動弁体の位置関係図
【図３−１】実施例１の説明図              均等混合用水平回動位置H２での全閉状態の固定弁体と可動弁体の位置関              係図
【図３−２】実施例１の説明図              均等混合用水平回動位置H２での全開状態の固定弁体と可動弁体の位置関              係図
【図４−１】実施例２の説明図              吐水用水平回動位置H1での全閉状態の垂直部分断面図
【図４−２】実施例２の説明図              図４−１のA−A’ 部分断面図
【発明を実施するための形態】
【実施例１】
【０００９】
本発明に係る実施例として、図１−１〜２、図２−１〜２、図３−１〜２に示す垂直取付型のシングルレバー式湯水混合栓を、以下に記載する。
図１−１に示す様に、吐出量を調節するシングルレバーの上下回動の調節角度範囲は２８度×２=５６度、第一作動体の上下回動の調節角度範囲は１２度×２=２４度である。
また、本実施例の全閉状態と吐出開始との間の余裕角度は、図示されていないが、シングルレバーは約１４度、第一作動体は約６度で、実質的な吐出量調節の調節角度範囲は、シングルレバーは５６−１４＝約４２度、第一作動体は２４−６＝約１８度である。
尚、本湯水混合栓のシングルレバーの湯水混合比調節の水平回動範囲は、図２−１に示す様に、左右各６０度計１２０度である。
【００１０】
本実施例のシングルレバー式湯水混合栓は、補修部品交換を容易にするため、内部部品がカートリッジでユニット交換可能にされており、また、湯水混合栓本体は、湯水混合栓本体ケース１と、湯水混合栓本体ケース１に螺合装着されるカートリッジホルダー２と、カートリッジホルダー２で湯水混合栓本体ケース１に固定されるカートリッジケース３とで構成されている。
本実施例のシングルレバー式湯水混合栓は、主要な構成部品として、
湯水混合栓本体ケース１と、カートリッジホルダー２と、カートリッジケース３と、カートリッジケース３の内側に水平回動可能に装着された水平回動ホルダー４と、水平回動ホルダー４に水平に固定された第一回動軸５と、第一回動軸５を軸心に上下回動する第一作動体６と、水平回動ホルダー４に第一回動軸５と平行に固定された第二回動軸７と、第二回動軸７を軸心に上下回動する第二作動体８と、第二作動体８に固定された連結ピン９及びシングルレバー１０と、第一作動体６によって水平回動・前後進される可動弁体１１と、水平回動ホルダー４の下面に固定され可動弁体１１が摺動する摺動リング１２と、カートリッジケース３の内部に固定され上面を可動弁体１１が摺動する固定弁体１３と、固定弁体１３と湯水混合栓本体ケース１との間を水密するとともに水流入経路及び湯流入経路を連通させる水密連通パッキン１４とが設けられている。
これ等主要部品の内、カートリッジホルダー２と、カートリッジケース３と、水平回動ホルダー４と、第一回動軸５と、第一作動体６と、第二回動軸７と、第二作動体８と、連結ピン９と、可動弁体１１と、摺動リング１２と、固定弁体１３と、水密連通パッキン１４とは、付属部品とともに交換用カートリッジとしてユニット化されている。
なお、本実施例において、水平回動とは湯水混合栓本体の中心軸を軸心とする水平回動を、上下回動とは湯水混合栓本体の中心軸と直交する第一回動軸又は第二回動軸を軸心とする上下回動を意味する。
【００１１】
以下に、前記主要構成部品とこれに付属する部品について、記載する。
湯水混合栓本体ケース１は、シングルレバー式湯水混合栓の本体部であり、洗面台等の取付箇所に底面で垂直取付される。湯水混合栓本体ケース1 には、底面側に水流入部１aと湯流入部１bとが、側面に湯水混合水が吐出される吐出部である吐出ノズル１cが、内側にカートリッジホルダー２が螺合装着されるネジ部１dと湯水混合水が吐出ノズル１ cへ流入出来るリング状凹部１eとが備えられている。
カートリッジホルダー２ は、交換用カートリッジを湯水混合栓本体ケース１に一括装着するための部品であり、螺合装着用のネジ部２aと、水密用パッキン２０が装着されるリング状凹部２bとが備えられている。水密用パッキン２０は、カートリッジホルダー２と湯水混合栓本体１の間及びカートリッジホルダー２とカートリッジケース３の間を水密する。
カートリッジケース３ は、交換用カートリッジのケース部であり、上部筒状部３aと下部筒状部３bとで構成される。上部筒状部３aには円弧状切欠部３cが上端部に備えられており、円弧状切欠部３cと水平回動ホルダー４に固定されたストッパー１５とで水平回動ホルダー４の水平回動範囲を制限する。下部筒状部３bには、湯水混合水が湯水混合栓本体1 のリング状凹部１eへ流入出来る円弧状開口部３dが備えられている。
【００１２】
水平回動ホルダー４は、水平・上下回動関連部品を一括して水平回動させる筒状のケース部であり、筒状部４aとフランジ部４bとで構成される。
筒状部４aの内側には、第一回動軸５と第二回動軸７とが水平に固定されている。外側には、水平回動範囲を制限するストッパー１５が固定され、Oリング２３が装着されるリング状凹部４cが備えられている。Oリング２３は、水平回動ホルダー４とカートリッジケース３の間を摺動可能に水密する
フランジ部４bの下面には、摺動リング１２と水密・押圧兼用のOリング２１とが装着されるリング状凹部４dが備えられる。
第一回動軸５は、第一作動体６が上下回動する軸であり、水平回動ホルダー４の筒状部４aに水平に固定され、第一作動体６が装着される。第一作動体６の両側に位置決め用のスペーサーリング１６も装着されている。
第一作動体６は、可動弁体１１を水平回動・前後進させる厚板状の部材であり、第一回動軸５に上下回動可能に装着されている。第一作動体６には、上部に連結用長穴６aと円弧状長穴６bが、下部に突起部６cが備えられている。連結用長穴６aは、連結ピン９に装着されたカラー１７を滑動させるためのピン連結部である。円弧状長穴６bは、第二回動軸７との干渉を回避する長穴である。突起部６cは、可動弁体１１を水平回動・前後進させることが出来る連結部であり、先端が半円状の突部である。
第二回動軸７は、第二作動体８が上下回動する軸であり、水平回動ホルダー４の筒状部４aの第一回動軸５の上側に平行に固定され、第二作動体８が装着される。第二作動体８の両側に位置決め用のスペーサーリング１９も装着されている。また、第二回動軸７は、第一作動体６の円弧状長穴６bを貫通している。
第二作動体８は、第一作動体６を上下回動させるコ字状断面の略方形体であり、第一作動体６を挟んで、第二回動軸７に上下回動可能に装着される。第二作動体８は、第一作動体６を挟持する部分には連結ピン９が、方形頭部８aにはシングルレバー１０が固定されている。
連結ピン９は、第一作動体６と第二作動体８とを揺動可能に連結するための柱状ピンで、連結を円滑にするためのカラー１７が装着されている。カラー１７は、第一作動体６の連結用長穴６a内を滑動する。
シングルレバー１０は、湯水混合栓の手動操作部であり、操作レバー部１０aと湯水混合栓本体１を覆うカバー部１０bとで構成される。カバー部１０bには、第二作動体８の方形頭部８aが装着される方形凹部１０cが備えられている。
【００１３】
可動弁体１１は、湯水混合比と吐出量とを調節するセラミック製の円盤状部材であり、摺動リング１２と固定弁体１３とに挟持された状態で摺動する。可動弁体１１には、連結用凹部１１aと湯水調節弁口１１bとが備えられている。
連結用凹部１１aは、中央に設けられた半円筒状底面の方形凹部であり、Uパッキン１８が装着された後に第一作動体６の突起部６cが挿入され、第一作動体６との連結部になる。Uパッキン１８は、第一作動体６の突起部６cが上下回動され可動弁体１１が前後進するときの緩衝用パッキンである。連結用凹部１１aのUパッキン１８が装着されていない側面は、第一作動体６の突起部６cとの対向面となる。
湯水調節弁口１１bは、閉止方向側の側面の下部に設けられた円弧状の切欠部であり、可動弁体１１が水平回動・前後進されたときに、固定弁体１３の水流入弁口１３a及び湯流入弁口１３bとの連通開口面積を変化させて、湯水混合比と吐出量とを調節する。湯水混合水は、湯水調節弁口１１bからカートリッジケース３の円弧状開口部３dを経由して湯水混合栓本体１のリング状凹部１eに流入する。
摺動リング１２は、水平回動ホルダー４と可動弁体１１との間の水密・摺動用部材であり、水密・押圧用のOリング２１とともに水平回動ホルダー４のリング状凹部４dに装着される。
固定弁体１３は、上面を可動弁体１１が摺動するセラミック製の円盤状部材であり、円弧状の水流入弁口１３aと湯流入弁口１３bとが備えられている。
水密連通パッキン１４は、固定弁体１３と湯水混合栓本体ケース１との間を水密するパッキンであり、水流入口１４aと湯流入口１４bとが設けられている。水流入口１４aは、湯水混合栓本体ケース１の水流入部１aと固定弁体１３の水流入弁口１３aを接続し、湯流入口１４bは、湯水混合栓本体ケース１の湯流入部１bと固定弁体１３の湯流入弁口１３bを接続している。
【００１４】
なお、水密用パッキン２０が装着されたカートリッジホルダー２、カートリッジケース３、Oリング２３とストッパー１５とOリング２１と摺動リング１２とが装着された水平回動ホルダー４、スペーサーリング１６が装着された第一回動軸５、第一作動体６、スペーサーリング１９が装着された第二回動軸７、連結ピン９とカラー１７が装着された第二作動体８、Uパッキン１８が装着された可動弁体１０、固定弁体１３、連通パッキン１４は、組立済のメンテナンス用ユニットとして別売することが出来る。
【００１５】
本実施例のシングルレバー式湯水混合栓の使用方法は、図１−１に示す様に、吐出量を調節するシングルレバーの上下回動角度が約５８度に拡大されること以外は、従来のシングルレバー式湯水混合栓の使用方法と同様で、シングルレバーの上下回動で吐出量を調節し、水平回動で湯水混合比を調節する。
【００１６】
以下に、各構成部品の動作を記載する。
シングルレバー１０を上下回動すれば、第二作動体８と連結ピン９及びカラー１７により上部が揺動可能に連結された第一作動体６が上下回動され、第一作動体６の下部の突起部６cによって可動弁体１１が前後進され、可動弁体１１の湯水調節弁口１１bと固定弁体１３の水流入弁口１３a及び湯流入弁口１３bとの連通開口面積が変化して、湯水混合水の吐出量が変化する。
本実施例では、図１−１に示す様に、第一回動軸５と連結ピン９との軸心間距離が第二回動軸７と連結ピン９との軸心間距離より大であるので、シングルレバー１０の上下回動角度範囲は２８×２＝５６度となり、第一作動体６の上下回動角度範囲１２×２＝２４度よりも拡大される。
シングルレバー１０を水平回動すれば、第二作動体８を介して第二回動軸７で連結された水平回動ホルダー４が水平回動され、第一回動軸５と第一作動体６が水平回動され、第一作動体６の突起部６cによって可動弁体１１が水平回動され、可動弁体１１の湯水調節弁口１１bと固定弁体１３の水流入弁口１３a及び湯流入弁口１３bとの連通開口面積比が変化して、湯水混合比が変化する。
図１−１〜２は、水のみを吐出する吐水用水平回動位置H１(図２−１参照 ) での垂直断面図である。
図２−１〜２は、吐水用水平回動位置H１での可動弁体と固定弁体との位置関係を示す。本図において、H3は、湯のみを吐出する吐湯用水平回動位置を示す。
図３−１〜２は、湯水混合比が等比である均等混合用水平回動位置H２での可動弁体と固定弁体との位置関係を示す。
また、湯水混合比を調節するための水平回動角度は、図２−１に示す様に左右各６０度計１２０度で、従来のシングルレバー式湯水混合栓の水平回動角度と同等である。
【実施例２】
【００１７】
実施例２のシングルレバー式湯水混合栓は、図４−１〜２に示す様に、実施例１の連結ピン９による連結に替えて、第一作動体６に備えられた円弧内歯車部６dと第二作動体８に固定された円弧歯車２２とで歯車連結する点に特徴があり、他の構成は、実施例１と同様である。
【００１８】
すなわち、
第一作動体６は、円弧内歯車部６dが第二作動体８に対向する面の上部に備えられている実施例１の第一作動体６であり、鍛造成型品である。円弧内歯車部６dは、実施例１の第一回動軸５と連結ピン９との軸芯間距離をピッチ円半径とする円弧内歯車であり、回転中心は第一回動軸５の軸芯にある。また、連結用長穴６aは、不要となる。
第二作動体８は、円弧歯車２２が第一作動体６に対向する面に結合ピン２３で固定される実施例１の第一作動体６である。
円弧歯車２２は、実施例１の第二回動軸６と連結ピン９との軸芯間距離をピッチ円半径とする鍛造成型された平板状の円弧歯車であり、回動軸７に装着され、回転中心は第二回動軸７の軸芯にある。
本実施例のシングルレバー式湯水混合栓の使用方法は、実施例１と同様である。
【００１９】
以下に、各構成部品の動作を記載する。
シングルレバー１０を上下回動すれば、結合ピン２３で第二作動体８に固定された円弧歯車２２が上下回動され、円弧歯車２２と連結した第一作動体６の上部の円弧内歯車部６dが上下回動され、第一作動体６の突起部６cによって可動弁体１１が前後進され、可動弁体１１の湯水調節弁口１１bと固定弁体１３の水流入弁口１３a及び湯流入弁口１３bとの連通開口面積が変化して、湯水混合水の吐出量が変化する。
シングルレバー１０の水平回動による湯水混合水比の変化は、実施例１と同様である。
【００２０】
実施例１〜２におけるシングルレバーの水平回動角度範囲・上下回動角度範囲、可動弁体の湯水調節弁口の形状、固定弁体の水流入弁口及び湯流入弁口の形状、円弧内歯車・円弧歯車の形状等は、一例であって、本発明は、これ等に限定されるものでは無い。その他の部材の位置関係・形状についても同様である。
また、実施例１において連結ピン９が第二回動軸７よりも上側に設けられているが、第一回動軸５と第二回動軸７との間に設けても良い。同様に、実施例２において円弧内歯車部６dに替えて円弧歯車部とし歯車連結部を第一回動軸５と第二回動軸７との間に設けることも出来る。これらの場合は、水平回動ホルダー４の高さが高くなる。
【００２１】
さらに、カートリッジケース３を設けず、カートリッジホルダー２によって水平回動ホルダー４を湯水混合栓本体ケース１に水平回動可能に保持することも出来る。このときは、湯水混合栓本体は、湯水混合栓本体ケース１とカートリッジホルダー２とで構成され、カートリッジケース３の円弧状切欠部３cは湯水混合栓本体ケース１に備えられる。
【符号の説明】
【００２２】
１  湯水混合栓本体ケース
１a  水流入部
１b  湯流入部
１c  吐出ノズル
１d  ネジ部
１e  リング状凹部
２  カートリッジホルダー
２a  ネジ部
２b  リング状凹部
３  カートリッジケース
３a  上部筒状部
３b  下部筒状部
３c  円弧状切欠部
３d  円弧状開口部
４  水平回動ホルダー
４a  筒状部
４b  フランジ部
４c  リング状凹部( Oリング２３用 ) 
４d  リング状凹部( 摺動リング１２・Oリング２1用 )
５  第一回動軸
６  第一作動体
６a  連結用長穴
６b  円弧状長穴
６c  連結部
６d  円弧内歯車部
７  第二回動軸
８  第二作動体
８a  方形頭部
９  連結ピン
１０  シングルレバー
１０a  操作レバー部
１０b  カバー部
１０c  方形凹部
１１  可動弁体
１１a  連結用凹部
１１b  湯水調節弁口
１２  摺動リング
１３  固定弁体
１３a  水流入弁口
１３b  湯流入弁口
１４  水密連通パッキン
１４a  水流入口
１４b  湯流入口
１５  ストッパー
１６  スペーサーリング( 第一回動軸用) 
１７  カラー
１８  連結部Uパッキン
１９  ペーサーリング( 第二回動軸用) 
２０  水密用パッキン
２１  Oリング
２２  円弧歯車
２３  Oリング
２４  結合ピン
H１  吐水用水平回動位置
H２  均等混合水平回動位置
H３  吐湯用水平回動位置
【図１−１】
2015155747.tif 000003
【図１−２】
2015155747.tif 000004
【図２−１】
2015155747.tif 000005
【図２−２】
2015155747.tif 000006
【図３−１】
2015155747.tif 000007
【図３−２】
2015155747.tif 000008
【図４−１】
2015155747.tif 000009
【図４−２】
2015155747.tif 000010